(57)【要約】【解決手段】  エゼクタ（１８）の収縮位置と伸張位置との間の動きに応じて、テールゲート(１６)を、開位置と閉位置との間で動かすテールゲート作動組立体（５０）。
2005518298.tif 000002
【特許請求の範囲】
【請求項１】
トラック用の後部排出ボディにおいて、
床と、
一対の向かい合う側壁と、
前記後部排出ボディの前方端における収縮位置と前記後部排出ボディの後端における伸張位置との間を移動できるように前記後部排出ボディ内に支持されているエゼクタと、
前記エゼクタに接続されている複数のスレッドを含んでいるエゼクタ案内組立体と、を備えており、
各スレッドは、一対の案内軌道の内の１つに収容され、各案内軌道は、前記側壁のそれぞれの内側面に配置されており、前記スレッドは前記案内軌道内を滑動し、それによって、前記エゼクタが前記収縮位置と前記伸張位置との間で動く際に前記エゼクタを案内するように構成されている、後部排出ボディ。
【請求項２】
前記各案内軌道は、前記後部排出ボディの前記床の上方所定の距離に配置されている、請求項１に記載の後部排出ボディ。
【請求項３】
前記各案内軌道は、前記後部排出ボディの中心に向かって内向きに伸張するにつれ、前記後部排出ボディの前記床に向かって下向きに傾斜する底壁を有している、請求項１に記載の後部排出ボディ。
【請求項４】
前記各案内軌道は、その前方端に隣接して、前記エゼクタが前記収縮位置にあるときに少なくとも１つのスレッドが収納される、凹部を有する底壁を含んでいる、請求項１に記載の後部排出ボディ。
【請求項５】
前記凹部は前記軌道の底壁の所定の区画であって、前記区画は、前記区画が前記軌道の前方端に向かって伸張するにつれ、前記後部排出ボディの前記床に向かって下向きに傾斜するように構成されている、請求項４に記載の後部排出ボディ。
【請求項６】
前記凹部は前記軌道の底壁の所定の区画であって、前記区画は、前記区画が前記軌道の前方端に向かって伸張するにつれ、前記後部排出ボディの前記床に向かって下向きに傾斜し、次いで水平になるように構成されている、請求項４に記載の後部排出ボディ。
【請求項７】
前記各スレッド及び各案内軌道は、自身に対してかじり無しで作動できる非常に硬い鋼材で作られているか、又は覆われている、請求項１に記載の後部排出ボディ。
【請求項８】
前記各スレッド及び各案内軌道は、耐磨耗性のある高マンガン鋼合金で作られているか、又は覆われている、請求項７に記載の後部排出ボディ。
【請求項９】
前記各スレッド及び各案内軌道は、軟鋼裏板上にクロム・カーバイド・リッチ・鋼合金を被覆した材料で作られているか、又は覆われている、請求項７に記載の後部排出ボディ。
【請求項１０】
前記後部排出ボディの前記床は、耐磨耗性のある高マンガン鋼合金で作られているか、又は覆われている、請求項１に記載の後部排出ボディ。
【請求項１１】
前記後部排出ボディの前記床は、軟鋼裏板上にクロム・カーバイド・リッチ・鋼合金を被覆した材料で作られているか、又は覆われている、請求項１に記載の後部排出ボディ。
【請求項１２】
トラック用の後部排出ボディにおいて、
床と、
一対の向かい合う側壁と、
前記向かい合う両側壁の間を前記後部排出ボディの後端において伸張しており、開位置と閉位置との間を移動できるように回転可能に支持されているテールゲートと、
前記ボディの前方端における収縮位置と前記ボディの後端における伸張位置との間を移動できるように前記後部排出ボディ内に支持されているエゼクタと、
前記エゼクタの前記収縮位置と伸張位置との間の移動に応じて、前記テールゲートを前記開位置と閉位置との間で動かすためのテールゲート作動組立体と、を備えており、前記テールゲート作動組立体は、
（ａ）前記エゼクタが前記収縮位置にあるときには、前記テールゲートと前記エゼクタを連結して、前記テールゲートを前記閉位置に保持し、
（ｂ）前記エゼクタが前記収縮位置から前記伸張位置へ向かって動く際には、前記テールゲートが前記開位置へと自由に揺動できるように、前記テールゲートを前記エゼクタから解放し、
（ｃ）前記エゼクタが前記伸張位置から前記収縮位置まで戻る際には、前記テールゲートと前記エゼクタとの間の連結を再確立して、前記テールゲートを前記開位置から前記閉位置へ引き戻すように構成されている、後部排出ボディ。
【請求項１３】
解放機構は、前記エゼクタが前記伸張位置に向かって事前選択された距離だけ移動した後で、前記エゼクタから前記テールゲートを解放する、請求項１２に記載の後部排出ボディ。
【請求項１４】
前記解放機構は、前記テールゲートが前記エゼクタから解放される前に前記テールゲートが前記伸張位置に向かって移動する事前選択される距離が、調整できるように構成されている、請求項１３に記載の後部排出ボディ。
【請求項１５】
前記テールゲート作動組立体は、前記テールゲートに接続され、回転可能なレバーが取り付けられている開放ロッドを備えており、前記回転可能な開放レバーは、前記エゼクタが前記収縮位置にあるときには前記エゼクタと係合しており、前記エゼクタが前記収縮位置から前記伸張位置へ移動する際に、前記開放レバーが前記後部排出ボディの側壁の１つに支持されている瞬間解放ドッグと係合すると、エゼクタとの係合から回転して外れ、前記開放ロッド及び前記開放レバーが前記エゼクタを超えて後方に移動できるように配置されている、請求項１２に記載の後部排出ボディ。
【請求項１６】
前記開放ロッドと開放レバーは、前記開放レバーが前記エゼクタから外された後、前記テールゲートが前記開位置にある地点の停止面と前記開放ロッドが係合するまで、後方へ移動するように構成されている、請求項１５に記載の後部排出ボディ。
【請求項１７】
前記開放レバーは、前記エゼクタが前記完全伸張位置から前記完全収縮位置まで移動するときに前記エゼクタと再係合し、前記瞬間解放ドッグは、前記開放レバーが前記エゼクタと共に前記瞬間解放ドッグを超えて前方へ移動できるように、前記後部排出ボディの側壁に回転可能に支持されている、請求項１６に記載の後部排出ボディ。
【請求項１８】
前記瞬間解放ドッグは、前記後部排出ボディの前方端から所定の距離だけ後方に配置されている、請求項１７に記載の後部排出ボディ。
【請求項１９】
前記側壁は、前記後部排出ボディの前方端からの前記瞬間解放レバーの距離を調整できるように構成されている、請求項１８に記載の後部排出ボディ。
【請求項２０】
前記開放ロッドは、前記テールゲートに接続されている可撓性リンクに接続されており、前記可撓性リンクは、前記テールゲートを前記開位置から前記閉位置へ引っ張るように、ドラムの回りに作用するよう構成されている、請求項１５に記載の後部排出ボディ。
【請求項２１】
前記ドラムは、前記可撓性リンクの前記テールゲートに対して作用するモーメントアームが、前記テールゲートが水平位置にあるときに最大になり、前記テールゲートが比較的垂直な開位置及び閉位置にあるときに比較的小さくなるように変化する曲率半径を有している、請求項２０に記載の後部排出ボディ。
【請求項２２】
前記エゼクタに接続された複数のスレッドを含んでいるエゼクタ案内組立体を更に備えており、前記各スレッドは一対の案内軌道の１つに収容されており、前記各案内軌道は前記側壁それぞれの内側面に配置されており、前記スレッドは、前記案内軌道内を滑動して、前記エゼクタが前記収縮位置と伸張位置との間を移動する際に前記エゼクタを案内するように構成されている、請求項１２に記載の後部排出ボディ。
【請求項２３】
トラック用の後部排出ボディにおいて、
床と、
一対の向かい合う側壁と、
前記向かい合う両側壁の間を前記後部排出ボディの後端において伸張しており、開位置と閉位置との間を移動できるように回転可能に支持されているテールゲートと、
前記ボディの前方端における収縮位置と前記ボディの後端における伸張位置との間を移動できるように前記後部排出ボディ内に支持されているエゼクタと、
前記エゼクタの前記収縮位置と伸張位置との間の移動に応じて、前記テールゲートを前記開位置と閉位置との間で動かすためのテールゲート作動組立体と、を備えており、前記テールゲート作動組立体は、前記テールゲートに接続され、前記テールゲートを前記開位置から前記閉位置へ引っ張るようにドラムの回りで作用する可撓性リンクを備えており、前記ドラムは、前記可撓性リンクの前記テールゲートに対して作用するモーメントアームが、前記テールゲートが水平位置にあるときに最大になり、前記テールゲートが比較的垂直な開位置及び閉位置にあるときに比較的小さくなるように変化する曲率半径を有している、後部排出ボディ。
【請求項２４】
前記テールゲート作動組立体は、前記エゼクタが前記収縮位置にあるときには、前記テールゲートと前記エゼクタを連結して、前記テールゲートを前記閉位置に保持し、前記エゼクタが前記収縮位置から前記伸張位置に向かって移動する際には、前記テールゲートを前記エゼクタから解放して、前記テールゲートが前記開位置へと自由に揺動できるようにし、前記エゼクタが前記伸張位置から前記収縮位置へ戻る際には、前記テールゲートと前記エゼクタとの間の連結を再確立して、前記テールゲートを前記開位置から前記閉位置へ引っ張り戻すように構成されている、請求項２３に記載の後部排出ボディ。
【請求項２５】
トラック用の後部排出ボディにおいて、
床と、
一対の向かい合う側壁と、
前記ボディの前方端における収縮位置と前記ボディの後端における伸張位置との間を移動できるように前記後部排出ボディ内に支持されているエゼクタと、
前記エゼクタを前記収縮位置と伸張位置との間で動かすための油圧シリンダであって、作動油が前記油圧シリンダの伸張側に供給されるときには、伸張して、前記エゼクタを前記伸張位置に向かって動かし、作動油が前記油圧シリンダの収縮側に供給されるときには、収縮して、前記エゼクタを前記収縮位置に向かって動かすよう構成されている油圧シリンダと、
前記油圧シリンダの前記伸張側及び前記収縮側への作動油の流れを制御するための油圧制御システムであって、作動油が前記油圧シリンダの前記伸張側へ流れ込んで前記油圧シリンダを伸張させ始める前に、前記油圧シリンダの前記収縮側に背圧を立ち上げるように構成されている油圧制御システムと、を備えている後部排出ボディ。
【請求項２６】
前記油圧制御システムは、前記油圧シリンダの前記収縮側の背圧が所定の値に達したときに、作動油が前記油圧シリンダの前記収縮側から出て、作動油タンクに流れるようにする、請求項２５に記載の後部排出ボディ。
【請求項２７】
前記油圧制御システムは、前記油圧シリンダの前記伸張側への作動油の流れを絞るように構成されている、請求項２５に記載の後部排出ボディ。
【請求項２８】
前記油圧制御システムは、前記油圧シリンダの前記伸張側の圧力が所定の値を超えたときに、作動油が、前記油圧シリンダの前記伸張側から出て作動油タンクに流れ戻るようにする、請求項２５に記載の後部排出ボディ。
【請求項２９】
トラック用の後部排出ボディにおいて、
床と、
一対の向かい合う側壁と、
前記ボディの前方端における収縮位置と前記ボディの後端における伸張位置との間を移動できるように前記後部排出ボディ内に支持されているエゼクタと、
前記エゼクタを前記収縮位置と伸張位置との間で動かすための油圧シリンダであって、作動油が前記油圧シリンダの伸張側に供給されるときには、伸張して、前記エゼクタを前記伸張位置に向かって動かし、作動油が前記油圧シリンダの収縮側に供給されるときには、収縮して、前記エゼクタを前記収縮位置に向かって動かすよう構成されている油圧シリンダと、
前記油圧シリンダの前記伸張側及び前記収縮側へ出入りする作動油の流れを制御するための油圧制御システムであって、前記油圧シリンダの収縮の間に作動油が前記油圧シリンダの前記収縮側へ供給され、前記油圧シリンダの前記収縮側の圧力が所定の値に達したときに、作動油が、前記油圧シリンダの前記伸張側を出て、前記油圧シリンダの伸張側を直接的に作動油タンクへ接続している配管を通って流れるように構成されている油圧制御システムと、を備えている後部排出ボディ。
【請求項３０】
前記油圧制御システムは、前記油圧シリンダの前記収縮側の圧力が所定の値を超えたときに、作動油が、前記油圧シリンダの前記収縮側から出て作動油タンクに流れ戻るようにする、請求項２９に記載の後部排出ボディ。
【請求項３１】
トラック用の後部排出ボディにおいて、
床と、
一対の向かい合う側壁と、
前記ボディの前方端における収縮位置と前記ボディの後端における伸張位置との間を移動できるように前記後部排出ボディ内に支持されているエゼクタと、
前記エゼクタを前記収縮位置と伸張位置との間で動かすためのエゼクタ油圧シリンダと、
前記向かい合う両側壁の間を前記後部排出ボディの後端において伸張しており、開位置と閉位置との間を移動できるように回転可能に支持されているテールゲートと、
前記テールゲートを前記開位置と閉位置との間で動かすためのテールゲート油圧シリンダと、
前記エゼクタ油圧シリンダと前記テールゲート油圧シリンダの両方に出入りする作動油の流れを制御するための共通の油圧制御システムと、を備えている後部排出ボディ。
【請求項３２】
トラック用の後部排出ボディにおいて、
床と、
一対の向かい合う側壁と、
前記向かい合う両側壁の間を前記後部排出ボディの後端において伸張しており、開位置と閉位置との間を移動できるように回転可能に支持されているテールゲートと、
前記ボディの前方端における収縮位置と前記ボディの後端における伸張位置との間を移動できるように前記後部排出ボディ内に支持されているエゼクタと、
前記エゼクタを前記収縮位置と伸張位置との間で動かすための、円筒とロッドを有している油圧シリンダと、
前記油圧シリンダの前記円筒を前記エゼクタに接続するための取付具であって、前記エゼクタと前記油圧シリンダが互いに相対回転できるようにする水平方向回転軸を画定するトラニオンマウントを含んでおり、前記水平方向回転軸が、前記ロッドに隣接する前記円筒の前方端に配置されている取付具と、を備えている後部排出ボディ。
【請求項３３】
前記エゼクタに接続された複数のスレッドを含んでいるエゼクタ案内組立体であって、前記各スレッドは一対の案内軌道の１つに収容されており、前記各案内軌道は前記側壁それぞれの内側面に配置されているエゼクタ案内組立体を更に備えており、前記スレッドは、前記案内軌道内を滑動して、前記エゼクタが前記収縮位置と伸張位置との間を移動する際に前記エゼクタを案内するように構成されている、請求項３２に記載の後部排出ボディ。
【請求項３４】
トラック用の後部排出ボディにおいて、
床と、
一対の向かい合う側壁と、
前記向かい合う両側壁の間を前記後部排出ボディの後端において伸張しており、開位置と閉位置との間を移動できるように回転可能に支持されているテールゲートと、
前記ボディの前方端における収縮位置と前記ボディの後端における伸張位置との間を移動できるように前記後部排出ボディ内に支持されているエゼクタと、
前記エゼクタを前記収縮位置と伸張位置との間で動かすための、円筒とロッドを有している油圧シリンダと、
前記油圧シリンダの前記円筒を前記エゼクタに接続するための取付具であって、前記エゼクタと前記油圧シリンダが互いに相対回転できるようにする垂直方向回転軸を画定し、前記垂直方向回転軸が、前記ロッドから最も遠い前記円筒の後方端に配置されている取付具と、を備えている後部排出ボディ。
【請求項３５】
前記エゼクタに接続された複数のスレッドを含んでいるエゼクタ案内組立体であって、前記各スレッドは一対の案内軌道の１つに収容されており、前記各案内軌道は前記側壁それぞれの内側面に配置されているエゼクタ案内組立体を更に備えており、前記スレッドは、前記案内軌道内を滑動して、前記エゼクタが前記収縮位置と伸張位置との間を移動する際に前記エゼクタを案内するように構成されている、請求項３４に記載の後部排出ボディ。
【請求項３６】
トラック用の後部排出ボディにおいて、
床と、
一対の向かい合う側壁と、
前記後部排出ボディの前方端における収縮位置と前記後部排出ボディの後端における伸張位置との間を移動できるように前記後部排出ボディ内に支持されているエゼクタであって、前記後部排出ボディの前記前方端に向かって伸張するにつれ前記床から離れて上向きに傾斜する下側面と、前記後部排出ボディの前記前方端に向かって伸張するにつれ前記床に向かって下向きに傾斜する上側面と、前記後部排出ボディの前記前方端に向かって伸張するにつれ前記側壁から離れて内向きに傾斜する一対の互いに反対側の側面とを有しているエゼクタと、を備えている後部排出ボディ。
【発明の詳細な説明】
【技術分野】
【０００１】
本発明は、運搬装置、厳密には、上部が開いており上部から積載し後部から排出するボディを備えた公道外運搬装置に関する。
【背景技術】
【０００２】
本特許出願は、２００２年２月２５日出願の米国仮特許出願第６０／３５９，３５９号、２００２年３月１８日出願の米国仮特許出願第６０／３６５，３２８号、及び２００２年１１月６日出願の米国仮特許出願第６０／４２４，１６９号の恩典を請求する。
【０００３】
後部排出ボディを備えた公道外トラックは、鉱山、建設現場及び埋立地の様な運搬用途において、資材を運搬し降ろすのに用いられる。後部排出ボディは、従来の後部ダンプボディを凌ぐ数多くの利点を有している。例えば、後部排出ボディは、一般的に自己洗浄性があるので、粘着性資材を持ち帰るのが最小になる。更に、この型式のボディは、動きながら荷降ろしすることができるので、トラックの生産性が上がる。動きながら降ろせることによって、降ろした資材を拡げて平坦にする追加の支援設備の必要性は最小になる。資材の荷降ろしに関して、後部排出ボディは、資材を、急斜面及び柔らかくてトラックには厄介な状態にある区域にも降ろすことができる。更に、後部排出ボディ付きのトラックは、頭上に電線や橋がある領域、更にはトンネル工事現場でも、荷を降ろすことができる。
【０００４】
荷降ろしの際に立ち上がり位置まで回転する従来型の後部ダンプボディとは対照的に、後部排出ボディは、１つ又は複数の油圧シリンダでトラックボディの前端から後端まで水平方向に動かされ、資材をトラックボディから排出して降ろすエゼクタブレードを使用する。荷降ろしのためにボディを立ち上げる必要がないので、後部排出ボディは、荷降ろしの際の頭上空間が（例えば、電線、橋、トンネル及び木のために）制限されている用途、地下での運搬用途、又は地面が不安定でダンプボディを荷降ろしの姿勢に上げるのが極度に危険な運搬用途に、特に適している。更に、後部排出ボディは、より制御された様式で資材を降ろす。例えば、後部排出ボディは、降ろした資材を広い範囲に亘って拡げるためにトラックを動かしながら、資材を降ろすことができる。トラックが動いている状態で資材を降ろすと、荷降ろし工程が早くなる。又、エゼクタブレードを使用すると、後部排出ボディは、従来の立ち上がり式後部荷降ろしボディでは手間取り、流れ出ないこともある塵と粘土の混合物の様な荷降ろしが難しい粘着性の資材も、扱えるようになる。
【０００５】
一般に、後部排出ボディは、公道外トラック及び路上法定廃棄物トラックの両方で良く知られている。残念ながら、市販されている多くの後部排出ボディは数多くの欠点を有している。例えば、通常の後部排出ボディは、定期的な注油と整備を要する数多くの可動部品を有しているので、維持するのに経費と時間が掛かる。更に、エゼクタブレードを動かすのに大型の油圧シリンダが必要なので、後部排出ボディは非常に高額になる。後部排出ボディには、テールゲートを作動するのに追加の油圧シリンダを使用するものもあり、更に費用が増す。その上、多くの後部排出ボディは、資材を比較的ゆっくり降ろすので、荷降ろしサイクル時間が増し、生産性が下がる。
【発明の開示】
【課題を解決するための手段】
【０００６】
本発明は、トラック用の後部排出ボディを提供する。ボディは、床と、一対の向かい合う側壁を備えている。テールゲートは、向かい合う両側壁の間を後部排出ボディの後端において伸張しており、開位置と閉位置との間を移動できるように回転可能に支持されている。エゼクタブレードは、ボディの前方端における収縮位置とボディの後端における伸張位置との間を移動できるように後部排出ボディ内に支持されている。
【０００７】
本発明の或る実施形態によれば、テールゲート作動システムは、エゼクタブレードの収縮位置と伸張位置との間の動きに応じて、テールゲートを、開位置と閉位置との間で動かす。テールゲート作動システムは、エゼクタブレードが閉位置にあるときには、テールゲートとエゼクタブレードを連結し、テールゲートを閉位置に保持する。テールゲート作動システムは、エゼクタブレードが収縮位置から伸張位置又は資材排出位置に向かって移動するときは、テールゲートが自由に開位置に揺動することができるように、テールゲートをエゼクタブレードから切り離す。テールゲート作動システムは、エゼクタブレードが伸張位置から収縮位置へ戻ると、テールゲートとエゼクタブレードとの間に連結を再確立して、テールゲートを開位置から閉位置へ引っ張る。テールゲート作動システムは、更に、テールゲートを開位置から閉位置まで引っ張るためにドラムの回りを作動する、テールゲートに接続されている可撓性リンクを備えている。ドラムは、可撓性リンクがテールゲートに対して作用するモーメントアームが、テールゲートが水平方向位置にあるときに最大となり、テールゲートが垂直方向の開位置、及び閉位置にあるときに比較的小さくなるように変化する曲率半径を有している。
【０００８】
本発明の別の実施形態によれば、後部排出ボディは、エゼクタブレード案内組立体を含んでいる。エゼクタブレード案内組立体は、エゼクタブレードに接続されている複数のスレッドを含んでいる。各スレッドは、一対の案内軌道又はスライドの内の１つに収容されている。各案内軌道又はスライドは、一方の側壁の内側面上に配置されており、スレッドは、エゼクタブレードが収縮位置と伸張位置との間を動く際に、案内軌道又はスライド内を動いて、エゼクタブレードを案内する。
【０００９】
本発明の別の実施形態によれば、後部排出ボディは、エゼクタブレードを収縮位置と伸張位置との間で動かすための油圧シリンダを含んでいる。油圧シリンダは、作動油が油圧シリンダの伸張側に供給されると、伸張して、エゼクタブレードを伸張位置に向かって動かし、作動油が油圧シリンダの収縮側に供給されると、収縮して、エゼクタブレードを収縮位置に向かって動かすよう構成されている。後部排出ボディは、更に、油圧シリンダの伸張側及び収縮側に出入りする作動油の流れを制御するための油圧制御システムを含んでいる。作動油が油圧シリンダの伸張側に供給される場合、油圧制御システムは、作動油が油圧シリンダの伸張側に流れ込んで、油圧シリンダを伸張させ始める前に、油圧シリンダの収縮側に背圧を立ち上げるように構成されている。更に、油圧制御システムは、油圧シリンダの収縮の際に、作動油が油圧シリンダの収縮側に供給されて、油圧シリンダの収縮側の圧力が所定の値に達したときに、作動油の流れが、油圧シリンダの伸張側を作動油タンク又はリザーバに直接接続している配管を通って油圧シリンダの伸張側から出てゆけるように構成されている。
【００１０】
本発明の別の実施形態によれば、後部排出ボディは、エゼクタブレードを収縮位置と伸張位置との間で動かすための油圧シリンダと、油圧シリンダの円筒をエゼクタブレードに接続するための取付器具を含んでいる。取付器具は、垂直回転軸を、エゼクタブレードが伸張及び収縮する際にエゼクタブレードが油圧シリンダに対してこの垂直回転軸周りを僅かに回転できるように画定する。垂直回転軸は、油圧シリンダのロッド端部から最も遠い油圧シリンダ円筒の後方端に配置されている。取付器具は、更に、トラニオンマウントを含んでおり、トラニオンマウントは、水平方向回転軸を、エゼクタブレードと油圧シリンダが互いに対してこの水平方向回転軸周りを回転できるように画定する。水平方向旋回軸は、シリンダのロッド端部に最も近い油圧シリンダ円筒の前方端に配置されている。
【００１１】
本発明の別の実施形態によれば、エゼクタブレードは、ボディの前端に向かって伸張するにつれ床から離れて上向きに傾斜する下側面と、ボディの前端に向かって伸張するにつれ床に向かって下向きに傾斜する上側面と、ボディの前端に向かって伸張するにつれ側壁から離れて内向きに傾斜する一対の互いに反対側の側面とを有している。
【発明を実施するための最良の形態】
【００１２】
以下、図面を具体的に参照してゆくが、図１−４に、本発明の教示に従って作られた後部排出ボディ１２を有する公道外トラック１０を分かり易く示している。図示の後部排出ボディ１２は、床１３、２つの側壁１４、テールゲート１６及びエゼクタブレード１８で構成されている。エゼクタブレード１８は、作動時には、後部排出ボディ１２内の荷物を後部排出ボディの前部から後部排出ボディ後部の外に押し出す。具体的には、エゼクタブレード１８は、この場合は、多段二重作動油圧シリンダ２０によって、後部排出ボディ１２前部の積載又は完全収縮位置（例えば図１、２、５、７参照）から、後部排出ボディ１２後部の空荷又は完全伸張位置（図３、４、６、８参照）へ動かされる。本明細書で使用している「前部」及び「前方」と「後部」及び「後方」という用語は、トラックキャブ２１がトラック１０の前端にあり、テールゲート１６がトラック１０の後端にあるものとして用いている（図１及び図３参照）。
【００１３】
図示の実施形態では、エゼクタブレード１８は、概括するとエゼクタプレート２４を支持するフレーム２２（図６−８参照）を含んでいる。図４−６に示すように、エゼクタプレート２４は、後部排出ボディ１２の後端に向かって面するように方向付けられており、後部排出ボディ１２の両側壁１４の間を伸張し、後部排出ボディ１２の床１３から側壁１４の上縁部上方に所定の距離だけ伸張している。図示のエゼクタプレート２４は、上側面２５、下側面２６及び一対の互いに反対側の側面２７を備えている。資材を側壁１４から引き離し、それを、後部排出ボディ１２の中心に向かって送るために、エゼクタプレート２４の各側面２７は、後部排出ボディ１２の前端に向かって前方に伸張するにつれ、ボディ１２の中心に向かって内向きに傾斜している。エゼクタプレート２４の下側面２６は、後部排出ボディ１２の前端に向かって前方に伸張するにつれ、ボディの床１３から離れて上向きに傾斜しており、資材を持ち上げ、ボディの床１３から幾らか離し易くしている。エゼクタプレート２４の上側面２５は、後部排出ボディ１２の前端に向かって前方へ伸張するにつれ、ボディの床１３に向かって下向きに傾斜している。この構成によって、エゼクタプレート２４が資材を後方へ押し出すときに、資材が、エゼクタプレート２４の上部を越えて落ちないようになっている。
【００１４】
エゼクタブレード１８が、後部排出ボディ１２の前部における積載又は完全収縮位置と後部排出ボディ１２の後部における空荷又は完全伸張位置との間を動く際に、エゼクタブレード１８を案内するために、エゼクタブレード１８は、案内組立体２８を備えている（図１０参照）。一般的に、従来のエゼクタブレードは、トラックボディの前部と後部との間を動くときには、ローラー又はカムフォロワに乗っている。残念ながら、このローラー及びカムフォロワは、定期的な整備及び注油を必要とする。それに比べて、本発明の或る実施形態では、エゼクタブレード１８用の案内組立体２８は、後部排出ボディ１２の側壁１４に沿って配置されている対応する案内軌道３２（例えば、図７−１０参照）内に収容され、その中を滑動するスレッド３０（例えば、図７、１０、１５参照）を有している。従来型のローラー及びカムフォロワと異なり、スレッド３０と案内軌道３２には注油点が無いので、実質的にエゼクタブレード１８に必要な整備が低減する。
【００１５】
所定の案内軌道３２は、後部排出ボディ１２の２つの側壁１４のそれぞれの内側に沿って配置されている（片方の軌道を図９及び図１０に、両方の軌道を図７に示す）。図示の実施形態では、エゼクタブレード１８は、エゼクタブレードのフレーム２２の各側に２つのスレッド３０を有しており、片側を図１５に示している。これらのスレッド３０は、エゼクタブレード１８の底部の四角付近に配置されている。各スレッド３０は、エゼクタブレード１８の対応するねじ付き管に収容されている各ねじ付きロッド３４の端部に支持されている（図１０−１１）。ねじ付きロッド３４を使用すると、スレッド３０の位置をエゼクタブレード１８に対して調整できるので、確実に良好な嵌合が得られる。
【００１６】
スレッド３０が案内軌道３２内で滑り易くするために、スレッド３０は、硬化した鋼材で作ってもよいし、硬化した鋼材で覆ってもよい。更に、スレッド３０が乗る案内軌道３２を、スレッド３０に用いたと同じような非常に硬い鋼材で覆ってもよいし、それで作ってもよい。具体的には、案内軌道３２の３つの側面（即ち、軌道の外側、上側及び下側の壁−図１０参照）を、非常に硬い鋼材で覆ってもよいし、それで作ってもよい。スレッド３０及び案内軌道３２の作成に使用するのに適した鋼材の例を２つ挙げると、１１−１４％マンガン鋼であるハドフィールド（Ｈａｄｆｉｅｌｄ）マンガン鋼と、西オーストラリア、マラガ  ディーシー６９４５、４２マーカンタイル通り  私書函３０８７（Ｍａｌａｇａ  ＤＣ６９４５、４２Ｍｅｒｃａｎｔｉｌｅ  Ｗａｙ  Ｐ．Ｏ．Ｂｏｘ３０８７）の合金鋼インターナショナル社によってアルコプレート（Ａｒｃｏｐｌａｔｅ）の商標で販売されている溶融合金鋼板である。アルコプレート（Ａｒｃｏｐｌａｔｅ）被覆板は、軟鋼の裏板(mild steel backing)上にクロム・カーバイド・リッチ（＋／−６０％）・鋼合金(chromium carbide rich (+/-60%) steel alloy)を被せて構成されている。アルコプレート（Ａｒｃｏｐｌａｔｅ）材に関する更なる情報は、ｗｗｗ.ａｒｃｏｐｌａｔｅ．ｃｏｍ．ａｕで見つけられる。適切なハドフィールド（Ｈａｄｆｉｅｌｄ）マンガン鋼の１つの例は、ニュージャージー州エリザベスのサトルツ・シックレス・スティール（Ｓｕｔｌｚ  Ｓｉｃｋｌｅｓ  Ｓｔｅｅｌ）社によってマンガナル（Ｍａｎｇａｎａｌ）の商標で販売されている耐磨耗性高マンガン鋼である。マンガナル（Ｍａｎｇａｎａｌ）は、一般的には１２−１４％のマンガンと１．００−１．２５％の炭素である高マンガンオーステナイトの加工硬化鋼である。マンガナル（Ｍａｎｇａｎａｌ）材に関する更なる情報は、ｗｗｗ.ｓｔｕｌｚｓｉｃｋｌｅｓｓｔｅｅｌ．ｃｏｍで見つけられる。ハドフィールド（Ｈａｄｆｉｅｌｄ）マンガン及びアルコプレート（Ａｒｃｏｐｌａｔｅ）材は、それぞれ自身に対してかじり(galling)無しで作動できるほど、非常に硬い。
【００１７】
案内軌道３２を確実に破片の無い状態に保つために、スレッド３０及び案内軌道３２は、スレッド３０が後部排出ボディ１２の前部と後部との間を動き、破片を軌道から排除するように構成することができる。具体的には、図１５に示す図示の実施形態では、各スレッド３０は、スレッドが後部排出ボディ１２の前部と後部との間を動く際に、スレッド３０が案内軌道３２の壁から破片を削り取り、その破片を後部排出ボディ１２の中心に向かって送り返すことができる先細形状を、その前端及び後端の両方に有している。この場合、各スレッド３０の前方端部は、縁部が前方へ伸張するにつれ、ボディの側壁１４から離れて内向きに傾斜する上側及び下側縁部３６（図１５では上側縁部しか見ることができない）を含んでいる。同様に、各スレッド３０の後端は、縁部が後方へ伸張するにつれ、ボディの側壁１４から離れて内向きに傾斜する上側及び下側縁部３８（図１５では上側縁部しか見ることができない）を含んでいる。
【００１８】
案内軌道３２は、更に清掃し易くするために、例えば図９及び図１０に示すように、底壁４０を、ボディ側壁１４から離れるにつれ、後部排出ボディ１２の中心に向かって下向き且つ内向きに傾斜するように構成することができる。スレッド３０が案内軌道３２内を前後に滑動すると、スレッド３０によって剥がされた破片は、案内軌道３２の底壁４０上に落下する。底壁４０は所定の角度に設定されているので、軌道３２の底壁４０上に落下する破片は、滑り落ちるか、又は案内軌道３２の外に後部排出ボディ１２の中心に向かって送り出される。図９及び図１０に示している実施形態では、案内軌道３２は、ボディの床１３の上方に所定の距離だけ高くなっている。案内軌道３２が高くなっているので、案内軌道３２から放出された破片のための空間ができる。代わりに、案内軌道３２を、図１１に示すように、ボディの床１３と同じ高さになるように配置してもよい。
【００１９】
トラック１０を荷降ろし地点から荷積み地点へ運転して行くときのように、後部排出ボディ１２が空のときに、エゼクタブレード１８が後方へ移動するのを防ぎ易くするため、各案内軌道３２は、その前方端近くに傾斜を付けて、エゼクタブレード１８が後方に移動し始める際には、対応するスレッド３０が上に移動しなければならないようにすることもできる。図１２に示す実施形態では、各案内軌道３２の前方端の底壁４０に短い傾斜軌道区画４２が設けられている。各傾斜軌道区画４２は、案内軌道３２の前方端に向かって伸張するにつれ下向きに傾斜している。この下向きの傾斜によって、エゼクタブレード１８が一杯に収縮した位置にあるとき、エゼクタブレード１８の各側の前方スレッド３０が収まる凹部ができる。これらの前方エゼクタブレードスレッド３０は、後方へ動くためには傾斜軌道区画４２を上方に移動しなければならないので、エゼクタブレード１８は、油圧シリンダ２０が収縮しているときには、基本的に、重力によって後部排出ボディ１２の前方端に保持されることになる。別の実施形態では、図１３に示すように、凹んだ平坦軌道区画４４が各案内軌道３２の前方端に設けられている。この凹んだ平坦軌道区画４４は、エゼクタブレード１８の後方移動に対する抵抗を付与するために、案内軌道が後方へ伸張するにつれ上向きに傾斜する傾斜軌道区画４２によって案内軌道３２の残りと連結されている。凹んだ平坦軌道区画４４により、エゼクタブレード１８が一杯に前進しているとき、スレッド３０を地面に平行に向けることができる。図１３に示す傾斜軌道区画４２は、図１２の傾斜軌道区画４２より僅かに急な角度になっている。その結果、図１３の傾斜軌道区画４２は、エゼクタブレード１８の後方への移動に対しより大きな抵抗を作り出す。
【００２０】
後部排出ボディ１２から資材を排出するのに伴う摩擦を低減するために、後部排出ボディ１２の床１３は、従来の鋼板と比べて摩擦係数の低い材料で内張することもできる。摩擦係数が比較的低い材料を使うと、後部排出ボディ１２から資材を排出するのに必要な力が少なくて済む。その結果、エゼクタブレード１８を動かすのに比較的小さい油圧シリンダ２０を用いることができ、後部排出ボディ１２のコストを下げることができる。また、低摩擦係数の材料を使用すると、収縮位置と伸張位置との間のエゼクタブレード１８の運動が早くなる。ボディの床１３を内張するのに適した資材の例を２つ挙げると、ハドフィールド（Ｈａｄｆｉｅｌｄ）マンガン鋼と、上記アルコプレート（Ａｒｃｏｐｌａｔｅ）の商標で販売されている被覆板である。先に述べたように、ハドフィールド（Ｈａｄｆｉｅｌｄ）マンガン鋼とアルコプレート（Ａｒｃｏｐｌａｔｅ）被覆板は、共に極めて硬く、磨くと摩擦係数が極めて低くなる。これらの材料は、資材がボディの床１３を滑動することによって生じる摩滅及び磨耗に対しても非常に抵抗性があり好都合である。
【００２１】
回転式ダンプボディを装備するように構成されている既存のトラックに、図示の後部排出ボディ１２を容易に取り付けられるようにするために、後部排出ボディ１２は、標準的なトラックシャシのダンプボディ回転式取付部に取り付けられるように構成されている。具体的には、図１、２、５を見ると良く分かるように、一対の取り付けブラケット４６が、ボディの床１３下側のその後部に隣接する位置に設けられている。後部排出ボディ１２を取り付ける場合、図示の実施形態のように、取付ブラケット４６を、通常は回転式ダンプボディを装備するように構成されているトラックのシャシに設けられたダンプボディの回転式取り付け部４８に接続する（例えば図１及び図２参照）。代わりに、トラックシャシのダンプボディ回転式取付部４８を、図３７及び図３８に示すようにテールゲート１６の回転支点として用いることもできる。
【００２２】
開位置と閉位置との間のテールゲート１６の運動を制御して荷をボディから排出できるようにするため、図示の後部排出ボディ１２は、テールゲート作動システム５０を備えている（例えば、図１４−２８を見ると良く分かる）。テールゲートを動かすためにボディの後部に別の油圧シリンダを用いている多くの後部排出ボディとは異なり、テールゲート作動システム５０は、単一の油圧シリンダ２０を利用して、エゼクタブレード１８とテールゲート１６の両方を作動しており好都合である。これは、従来のテールゲートを作動させるのに付帯する追加の油圧シリンダ、油圧配管及び油圧制御装置を省くことによって、後部排出ボディ１２のコストだけでなく、必要な整備も低減する。テールゲート作動システム５０は、テールゲート１６の動きをエゼクタブレード１８の動きと連携させ、荷降ろしの間に、確実にテールゲート１６が迅速且つ確実に開くよう支援する。具体的には、エゼクタブレード１８の完全収縮位置から部分的伸張位置への作動によって、後部排出ボディ１２の後部におけるテールゲート１６の開閉が制御される。
【００２３】
図示の実施形態では、テールゲート作動システム５０は、開放ロッド５２を備えており、それには、図１４、１６、１７に示すように、チェーン５４が取り付けられている。チェーン５４は、チェーンドラム５５に巻き付けられ、テールゲート１６に接続されている。具体的には、図示の実施形態では、チェーン５４は、チェーンテンショナ５７を使ってチェーンドラム５５に接続されており、閉位置にあるときには、テールゲート１６が確実に後部排出ボディ１２の側壁１４に対してぴったりと当接するように、ねじ付きロッド上の大型ナットを介して調整できるようになっている。テールゲート開放レバー５８は、開放ロッド５２の前方端に回転可能に取り付けられている。図１４に示すように（分かり易くするため、図１４では側壁１４の外側構造体を取り外している）、テールゲート開放レバー５８、ロッド５２及びチェーン５４の組立体は、後部排出ボディ１２の側壁１４の板の片方又は両方の外側面に沿って伸張している。
【００２４】
エゼクタブレード１８が一杯に収縮すると、テールゲート開放レバー５８がエゼクタブレード１８上の停止面６０と係合することによって、テールゲート１６は閉じた状態に保持される（図１５、１６、１８）。荷を排出するためにエゼクタブレード１８が後方へ動き始めると、開放ロッド５２は、（テールゲート１６の重量によって引っ張られて）後方へ滑動し始め、後部排出ボディ１２の側壁１４上の一対の取付耳６３を介して回転可能に支持されている瞬間解放ドッグ６２と係合する。テールゲート開放レバー５８が瞬間解放ドッグ６２と係合すると、ゲート開放レバー５８を開放ロッド５２に対して（図面で）時計回りに回転する（図１９参照）。これにより、テールゲート開放レバー５８は、エゼクタブレード１８上の停止面から切り離される（図２０及び図２１参照）。すると、開放ロッド５２は、開放ロッド５２上のノッチ６４が後部排出ボディ１２の側壁１４に設けられた停止面６６と係合するまで後方へ滑動する（図２２参照）。この時点で、テールゲート１６は、一杯に開いた位置まで回転している。
【００２５】
エゼクタブレード１８が、後方へ動き続けて荷を排出する際に、エゼクタブレード１８は、再びテールゲート開放レバー５８と係合する。これによってテールゲート開放レバー５８が時計回りに回転するので、エゼクタブレード１８はテールゲート開放レバー５８上を通過することができる（図２３参照）。エゼクタブレード１８がテールゲート開放レバー５８上を通過すると、テールゲート開放レバー５８と開放ロッド５２との間を伸張しているばね６８が、テールゲート開放レバー５８を、テールゲート開放レバー５８が開放ロッド５２に対して垂直に伸張する位置まで回転させて戻す（図２４参照）。
【００２６】
エゼクタブレード１８が一杯に収縮した位置に戻る際に、本例の場合はエゼクタブレード１８が収縮位置へ戻る途中の約８０％の位置にあるとき（図２５参照）に、エゼクタブレード１８の停止面６０が、テールゲート開放レバー５８と再び係合する。開放ロッド５２は、テールゲート開放レバー５８が、開放ロッド５２に対して反時計回りに垂直位置を越えて回転することの無いように構成されている。従って、エゼクタブレード１８が完全収縮位置に戻る際に、エゼクタブレード１８がテールゲート開放レバー５８と係合するとき、エゼクタブレード１８は開放ロッド５２とチェーン５４を前方へ引っ張り(図２６参照)、それによってテールゲート１６を回転させ閉位置に戻す。後部排出ボディ１２の側壁１４上の瞬間解放ドッグ６２は回転可能なので、テールゲート開放レバー５８は、瞬間解放ドッグ６２上を通過して完全収縮位置及び閉位置まで前方へ移動できるようになっている（図２７、図２８、図１８参照）。次いで、ばね７０は、瞬間解放ドッグ６２を内向き又は時計回りに回転させゲート開放レバー５８の後ろに戻す（図１８参照）。
【００２７】
荷を排出しているときには、エゼクタブレード１８が僅かに後方へ動いた後（例えばエゼクタブレード１８が約１５ｃｍ（６インチ）後方に動いた後）で、テールゲート１６が開放され一杯に開くので、荷を後部排出ボディ１２から排出することができる。図１４−２８に示す実施形態では、エゼクタブレード１８は、全後方運動行程の約３−５％動きさえすれば、テールゲート１６を一杯に開放することができる。これに対して、エゼクタブレード１８の前方向又は収縮運動の全行程の１７−２５％を使って、テールゲート１６が閉位置まで動かされる。
【００２８】
図１２、１３、３９を見れば良く分かるように、後部排出ボディ１２は、テールゲート１６を「迅速に」開放できるようにする瞬間解放ドッグ６２を、複数の位置の何れにでも配置できるよう構成することができる。これにより、テールゲート１６が開放され一杯に開く前に、エゼクタブレード１８が後方に移動する距離を調整することができる。この例では、瞬間解放ドッグ６２は、後部排出ボディ１２の前方端からそれぞれ異なる距離にある４つの異なる位置の内の１つに配置することができる。瞬間解放ドッグ６２用の取付耳６３を取り付ける板の取付穴が、各取付位置に設けられている。後部排出ボディ１２の側壁１４内の対応する切り抜き７２が、各取付位置に設けられている（図３９では、前から２番目の取付位置の切り抜きは、取付耳の板で覆われている）。これらの切り抜き７２は、様々な開放点でテールゲート１６を開放するよう作動する際に瞬間解放ドッグ６２が通過する開口部を提供している。取付耳６３の瞬間解放ドッグ６２を後部排出ボディ１２の前方端の最も近くに配置すると、テールゲート１６は、最も速く、即ちエゼクタブレード１８の最短運動の後、完全開位置に開放される。これに対して、取付耳６３の瞬間解放ドッグ６２を後部排出ボディ１２の前方端から最も遠くに配置すると、テールゲート１６は、最も遅く、即ちエゼクタブレード１８が最大に移動した後、そしてエゼクタブレードの運動の結果、テールゲート１６が既に開位置に向かって相当の距離回転した後で、完全開位置に開放される。
【００２９】
テールゲート１６を開位置から閉位置へ回転させるためにエゼクタブレード１８に加えなければならない力を低減するために、テールゲート作動システム５０は、テールゲート１６が開位置と閉位置との間で動くにつれ、テールゲート１６に加えられるトルクを変化させるよう構成することができる。テールゲート１６を閉じるとき、テールゲート１６を移動させ閉じるのに必要な力は、テールゲート１６が水平方向位置にあるとき最大となる。水平方向位置を過ぎると、テールゲート１６を動かすのに必要な力は、テールゲート１６が、テールゲート回転支点７３上の垂直位置に近づくにつれて減少する。図２９−３２に示す実施形態では、トルクの変化は、エゼクタブレード１８の収縮によってテールゲート１６に作用するモーメントアームがテールゲートの位置によって変わるように変化する半径を有するチェーンドラム５５を設けることによって実現される。モーメントアームは、開放ロッド５２に作用するエゼクタブレードによって作り出される作用（力）の線とテールゲート回転支点７３との間の垂直方向距離である。チェーンドラム５５は、湾曲面を形成しており、その回りにチェーン５４が作用して、テールゲート１６にモーメント又はトルクを働かせる。チェーンドラムは、後部排出ボディ１２の側壁１４内に滑動可能に収容される第１端部と、テールゲート１６に接続されている第２端部を含んでいる。この場合、チェーンドラム５５の曲率半径は、チェーンの作用線とテールゲートの回転支点７３との間の距離がテールゲートの位置によって変化するように、ドラムの第１端部と第２端部との間で変化する。具体的には、図３２を見ると良く分かるように、チェーンドラム５５の曲率半径は、チェーン５４が作用してテールゲート１６を回転させる作動半径又はモーメントアームが、テールゲート１６が水平方向位置にありテールゲート１６を回転させるのに最大のトルクが必要なときに、最大になる（即ち、チェーンの作用線は、テールゲートの回転支点から最も離れた距離にある）ように変化する。これに対し、チェーン５４が作用するモーメントアームが小さい（即ち、チェーンがテールゲート回転支点から比較的短い距離にある）のは、テールゲート１６が、閉位置に保持されているときと、完全開位置を離れ始めたばかりのときで、これは、テールゲート１６が完全開位置を離れ始めるときには、回転させるのに必要なトルクは小さいからである。
【００３０】
別の実施形態では、図３３、３４に示すように、チェーンドラム５５は、一定の作動半径を有しているが、テールゲート回転支点７３とは異なる回転中心を有するように配置、構成されている。このように配置すると、チェーン５４に対する最小のモーメントアームは、テールゲート１６が完全開位置にあるときとなり、最大のモーメントアームは、テールゲート１６がほぼ完全に閉じられているときになる。従って、テールゲート１６を閉位置に保持するためにチェーン５４に加えなければならない力は、小さくなる。
【００３１】
エゼクタブレード１８の捻り運動が油圧シリンダ２０に力を誘起するのを防ぐために、エゼクタブレードの油圧シリンダ２０に対する相対運動を許容する油圧シリンダ取付装置を設けることができる。図示の実施形態では、図３５、３６を見れば良く分かるように、油圧シリンダ取付装置は、シリンダトラニオン取付具７４を備えている。シリンダトラニオン取付具７４は、油圧シリンダが一杯に伸びたときのシリンダ円筒７５と伸びたシリンダロッドの重量の釣り合いを取るために、油圧シリンダ２０のシリンダ円筒７５の前方端部又はロッド端部に設けられている。シリンダトラニオン取付具７４は、油圧シリンダ円筒７５を取り囲むカラー７６を備えている。一対のスタブ軸７８がカラー７６から突き出して、エゼクタフレーム２２上に支持されている一対の横方向に間隔を空けて配置されている板８０内に収容されている。この装置によって、油圧シリンダ２０は、エゼクタブレード１８に対して上下に回転できるようになる。更に、エゼクタブレード１８は、後部排出ボディ１２内で前後に滑動するときに、左右に僅かに引っ張られるか、又はねじられる（例えば、エゼクタブレード１８のどちらかの側に２．５ｃｍ（１インチ）未満）。この運動を考慮して、シリンダ取付装置は、垂直回転軸も有している。具体的には、図３６を見れば良く分かるように、油圧シリンダ２０が取り付けられ、横方向に間隔を空けて配置されている板８０は、その後方の上端部及び下端部が、エゼクタブレードフレーム２２に支持されている一対の垂直方向に伸張する各回転支点８２に接続されている。両回転支点８２は、油圧シリンダ２０が（横方向に間隔を空けて配置されているプレート８０と共に）、２つの回転支点８２で画定される垂直軸回りを回転できるようにしている。回転の垂直軸がエゼクタブレード１８の横方向の捻れの中立点に、又はその近くに位置するように、２つの回転支点８２が配置されていれば、油圧シリンダ２０の横方向の捻れは実質的に取り除かれる。この場合、２つの回転支点８２で画定されている垂直軸は、油圧シリンダ円筒の後方端に配置されている。この装置によって、油圧シリンダ２０は、エゼクタブレード１８が伸張し、即ち荷を排出するときに、エゼクタブレード１８にセンタリング作用を作り出すようなやり方でエゼクタブレード１８に引っ張られる。
【００３２】
図示の後部排出ボディ１２は、更に、図４０、４１に示しているような油圧制御システムを備えている。図示の油圧制御システムは、油圧シリンダ２０の伸張及び収縮を制御し、特にシリンダの誤作動を防ぐ。二重作動式多段伸縮型シリンダの誤作動現象は、小さい方の直径の段のシリンダの１つが順序を違えて部分的に伸張した場合にシリンダ伸張部に起こり、大きい方の直径の段から出て油圧シリンダの収縮側のタンクへ戻る収縮油の流れを遮断する。それは、多段式二重作動伸縮型シリンダの製造業者には周知の現象である。油圧シリンダ２０が伸張する際に、油圧シリンダ２０の収縮区画又は収縮圧力配管内に正の背圧を作ることによって、本発明の油圧制御システム８４は、油圧シリンダ２０の多段伸縮区画を順序通りに保ち、シリンダの誤作動を防止する。
【００３３】
油圧制御システムへの油の流れは、例えば、後部排出ボディ１２を搭載することのできる型式の公道外トラックには一般的に備えられている従来型の３位置４方向油圧弁によって制御することができる。油圧シリンダ２０の伸張及び収縮の間の油圧制御システムの作動を、それぞれ図４０、４１に示している。図４０、４１では、油圧制御システムの活性配管を太線で示し、弁排出配管を点線で示し、活性弁パイロット圧配管を破線で示している。更に、図４０、４１では、各活性ポートの矢印は、油圧制御システムに出入りする作動油の流れを示している。
【００３４】
図４０に示すように、油圧シリンダ２０の伸張時には、加圧された作動油が、先ずポートＡを通して油圧制御システム８４に送られる。作動油は、油圧制御システムの伸張配管と収縮配管９０、９２を接続する背圧配管内に配置されている減圧弁８６へ送られる。減圧弁８６は、標準的な供給圧力（例えば約２１０ｋｇ／ｃｍ２（３０００ｐｓｉ））からの入口圧力を、所定のより低い圧力（例えば約５６ｋｇ／ｃｍ２（８００ｐｓｉ））に下げる。作動油は、減圧弁８６から逆止弁９４を通して背圧配管８８に送られ、作動油が、所定の低減圧力（例えば、約５６ｋｇ／ｃｍ２（８００ｐｓｉ））で収縮配管９２（シリンダ伸張の間は、タンクへの戻り配管）へ流れるようにする。
【００３５】
ポートＡから、作動油は、ポートＡからの流れを遮断する逆止弁１００回りのバイパス配管９８を通過した後、伸張配管９０内に配置されているシーケンス弁９６へも送られる。バイパス配管９８は、伸張配管９０へ流入する作動油の流量を制限又は絞るオリフィス１０２を含んでいる。図示の実施形態では、後部排出ボディ１２が通常取り付けられるトラックは、油圧シリンダ２０が扱うのに必要な流量より多い流量を油圧制御システム８４に作り出すので、伸張配管９０への作動油の流れは絞られる。勿論、トラックが作り出す流体の流量が、油圧シリンダ２０に必要な範囲内にあれば、絞りオリフィス１０２を省くこともできる。シーケンス弁９６は、圧力が所定の値に達するまで、油圧シリンダ２０の伸張側へ流入する作動油の流れを遮断するよう構成されている。例えば、シーケンス弁９６は、圧力が約７０ｋｇ／ｃｍ２（１０００ｐｓｉ）に達するときに開くように設定することができる。従って、ポートＡからの作動油が、伸張配管９０内で７０ｋｇ／ｃｍ２（１０００ｐｓｉ）の圧力に達するまで、全作動油は、減圧弁８６及び背圧配管８８へ向けられ、この場合、油圧シリンダ２０の収縮側に５６ｋｇ／ｃｍ２（８００ｐｓｉ）の背圧が作り出される。これにより、油圧シリンダ２０が伸張する際に、各段の油圧シリンダが正しい順序で伸張し、誤作動が防げるように、油圧シリンダ２０の収縮側の伸縮区画は、順序通りにつぶれ、即ち収縮する。
【００３６】
伸張配管内の圧力が所定の値（例えば７０ｋｇ／ｃｍ２（１０００ｐｓｉ））に達すると、シーケンス弁９６が開いて、作動油が油圧シリンダ２０の伸張側に直接流れるようにする。これにより、油圧シリンダ２０は伸張する。圧力逃がし弁１０４が伸張配管９０と連通して設けられており、例えば、油圧シリンダストロークの終わりに、伸張配管内の圧力が所定の値（例えば１５５−１６２ｋｇ／ｃｍ２（２２００−２３００ｐｓｉ））を超えると、作動油を、トラックに備えられている作動油リザーバ又はタンクにタンク配管１０６を通して直接送り返すようになっている。
【００３７】
一方、油圧シリンダ２０が伸張するにつれ、作動油は、油圧シリンダ２０の収縮側から収縮即ち戻り配管９２に押し出される。背圧配管８８内の逆止弁９４は、作動油が伸張配管９０又はポートＡに逆流するのを防いでいる。替わりに、油圧シリンダ２０が伸張する際に油圧シリンダ２０の収縮側から押し出される作動油は、収縮配管９２内のカウンタバランス弁１０８に送られる。カウンタバランス弁１０８は、圧力が、例えば７０ｋｇ／ｃｍ２（１０００ｐｓｉ）の所定の値に達するまで、作動油のポートＢへ、即ちタンクへ戻る流れを遮断する。収縮配管９２内の油圧が所定の値（例えば７０ｋｇ／ｃｍ２（１０００ｐｓｉ））を超えると、カウンタバランス弁１０８が開き、作動油が圧力作動逆止弁１１０に流れるようにする。圧力作動逆止弁１１０は、パイロット配管１１２を通して伸張配管９０から来るパイロット圧力信号に基づいて開く。圧力作動逆止弁１１０が開くと、作動油は、ポートＢを通ってタンク即ちリザーバに流れることができる。逆止弁１１４は、収縮配管９２内のポートＢと圧力作動逆止弁１１０との間に配置されている。しかしながら、逆止弁１１４は、作動油がポートＢに無制限に流れ戻ることができる方向に向いている。図４０で、配管１１６、１１７、１１９、１２１は、油圧シリンダ２０の伸張の間に作動油の圧力を試験することができる圧力点用の試験配管である。
【００３８】
要するに、油圧シリンダ２０を伸張させるために作動油が油圧制御システムに加えられると、圧力が、先ず収縮配管９２内で５６ｋｇ／ｃｍ２（８００ｐｓｉ）まで立ち上がる。配管９０内の圧力が７０ｋｇ／ｃｍ２（１０００ｐｓｉ）を超えると、シーケンス弁９６が開き、作動油が油圧シリンダ２０の伸張側へ流れるようになる。圧力逃がし弁１０４は、逃がし弁１０４が設定されている伸張配管９０内の圧力が所定の値を超えると、作動油をタンクへ送り返す。収縮配管９２が圧力７０ｋｇ／ｃｍ２（１０００ｐｓｉ）に達すると、カウンタバランス弁１０８が開き、作動油がポートＢを通ってタンクへ流れ戻るようになっている。
【００３９】
次に図４１に示すように、油圧シリンダ２０が収縮するときには、作動油が、ポートＢから入り、収縮配管９２を通って逆止弁１１４に送られる。この逆止弁１１４は、ポートＢからの作動油の流れを遮断する向きに向いているので、作動油はバイパス配管１１８を通して送られる。バイパス配管１１８は、オリフィス１２５を含んでおり、油圧シリンダ２０の収縮側への作動油の流れを制限する。次に、作動油は圧力作動逆止弁１１０へ流れるが、圧力作動逆止弁１１０は、ポートＢからカウンタバランス弁１０８への無制限な流れを許容する向きに向いている１方向逆止弁である。バイパス配管１２０は、カウンタバランス弁１０８回りに設けられている。バイパス配管１２０は、ポートＢからの無制限な作動油の流れが、油圧シリンダ２０の収縮側に達するのを許容する逆止弁１２２を含んでいる（油圧シリンダの伸張の間には、逆止弁１２２はポートＢに向かう流れを遮断し、作動油にカウンタバランス弁１０８を通過させる）。圧力逃がし弁１２４は、収縮配管９２と連通して設けられ、例えば油圧シリンダの収縮ストロークの終わりに、収縮配管９２内の圧力が所定の値（例えば１６２−１６９ｋｇ／ｃｍ２（２３００−２４００ｐｓｉ））を超えると、タンク配管１０６を通して作動油をタンクへ送り返す。
【００４０】
油圧シリンダ２０の伸張側のピストン面積は、収縮側のピストン面積より実質的に大きい（例えば、約７倍の大きさ）ので、シリンダが収縮しているときは、油圧シリンダ２０の伸張側から押し出される作動油は、全く無制限にタンクへ戻れるようになっていなければならない。従って、作動油が油圧シリンダ２０の収縮側へ流れているときは、タンク配管１０６内の一対の圧力作動逆止弁１２８、１３０は、パイロット配管１３２を通して収縮配管９２から来るパイロット圧力信号に基づいて開く。これら圧力作動逆止弁１２８、１３０が開くと、油が、油圧シリンダ２０の伸張側からタンクへ無制限に流れるようになる。同時に、伸張側からの作動油は、伸張配管を経由してポートＡへ、更にタンクへ流れ戻ることもできる。具体的には、ポートＡに戻る伸張配管９０内の流れは、シーケンス弁９６回りのバイパス配管１３６内の逆止弁１３４を通って進み、更に、流れ制限オリフィス１０２が設けられたバイパス配管９８に平行して配置されている逆止弁１００を通って進む。これらの逆止弁１３４、１００は、共に、作動油がポートＡに無制限に流れるように配置されている。図４１において、配管１１６、１１７及び１３８は、油圧シリンダ２０の収縮の間に圧力を試験することのできる圧力点用の試験配管である。
【００４１】
油圧シリンダが収縮しているときには、油圧シリンダ２０の伸張側からタンクへ戻る作動油の流れは、油圧シリンダ２０の伸張側の背圧が油圧シリンダ２０の収縮運動を失速させないようにするため、無制限でなければならない。具体的には、収縮側の圧力に比べて伸張側の圧力が作用するピストン面積の方が遙かに大きいので、伸張側の背圧が最小であっても収縮圧力を相殺し、油圧シリンダ２０を失速させかねない。例えば、収縮側面積に対する伸張側面積の比率は、約８対１である。従って、収縮圧力と反対に働く力を求める場合、油圧シリンダ２０の伸張側内の背圧には係数８が掛けられる。その場合、収縮側の１６９ｋｇ／ｃｍ２（２４００ｐｓｉ）の圧力は、油圧シリンダ２０の伸張側の僅か２１ｋｇ／ｃｍ２（３００ｐｓｉ）の背圧で相殺され、油圧シリンダ２０の収縮が効果的に失速してしまうことになる。図示の油圧制御システムでは、油圧シリンダ２０を収縮させるときには、圧力作動逆止弁１２８、１３０は、油が、油圧シリンダ２０の伸張側から出てタンクへ自由に無制限に流れ戻るようにして、シリンダ２０の伸張側内の背圧を最小にしている。
【００４２】
随意的に、図示のテールゲート作動システム５０を使用する代わりに、テールゲート１６の開位置と閉位置との間の運動を１つ又は複数のテールゲートシリンダによって行うこともできる。好都合なことに、油圧制御システム８４を、図４２、４３に示すようにこれらテールゲートシリンダの伸張と収縮を制御するように修正することもできる。この場合、テールゲートシリンダは、テールゲートシリンダの収縮がテールゲート１６を開くように構成される。従って、油圧シリンダ２０が伸張しているときにテールゲート１６を開位置に動かすために、テールゲートシリンダ用の共用の収縮配管１４０は、油圧シリンダ２０用の伸張配管９０に接続されている。
【００４３】
テールゲート１６が確実に排出サイクルの初期に開くようにするため、テールゲートシリンダ用の収縮配管１４０は、油圧シリンダ２０の伸張配管９０のシーケンス弁９６の前に連結されている。更に、シーケンス弁９６は、より高い圧力設定値に設定することもできる。例えば、シーケンス弁は、油圧制御システム８４が油圧シリンダ２０だけを制御する場合に用いられる７０ｋｇ／ｃｍ２（１０００ｐｓｉ）の設定値に対して、１６２ｋｇ／ｃｍ２（２３００ｐｓｉ）で開くように設定してもよい。シーケンス弁９６が開くまで、油圧シリンダ２０の伸張側への作動油の流れは遮断され、テールゲートシリンダの収縮側に圧力が立ち上がり、テールゲート１６を開く。テールゲートシリンダの伸張側から押し出される作動油は、逃がし弁１２４の上流のタンク配管１０６に連結しているテールゲートシリンダ伸張配管１４２を通って流れる。油圧制御システム８４の収縮側の作動油は逃がし弁１２４を開くほど高圧ではないので、テールゲートシリンダの伸張側からの作動油は、シーケンス弁１４４回りのバイパス配管１５０内の逆止弁１５２を通過し、カウンタバランス弁１０８が開き、流体がポートＢを通ってタンクに戻れるようになるまで、油圧シリンダ２０の収縮配管９２内に背圧を立ち上げる。
【００４４】
代わりに、図４３に示すように、油圧制御システムは、バイパス配管１５４を逃がし弁１２４回りに設けるように構成することもできる。伸張配管１４２からの作動油は、バイパス配管１５４内を、シリンダ収縮配管１４０に接続されているパイロット配管１５８からの圧力信号に基づいて開く圧力作動逆止弁１５６へと流れる。圧力作動逆止弁１５６が開いているときは、作動油は、配管１０６を通ってタンクへ流れる。
【００４５】
油圧シリンダ２０が収縮するとき、シーケンス弁１４４は、油圧シリンダ収縮配管９２内の圧力が所定の圧力に達するまで、テールゲートシリンダの伸張側への作動油の流れを遮断する。具体的には、シーケンス弁１４４は、逃がし弁１２４の設定圧力より低い圧力で開くように設定されている。油圧シリンダ収縮配管９２内の圧力が所定の圧力に達すると、シーケンス弁１４４が開いて、作動油がテールゲートシリンダの伸張配管１４２へ流入できるようにして、テールゲート１６を閉じる。従って、シーケンス弁１４４は、エゼクタブレード１８が収縮位置に向かって動き始めるまで、テールゲート１６を閉じるのを遅らせる。テールゲートシリンダの収縮側から押し出された作動油は、テールゲートシリンダ収縮配管１４０を通って油圧シリンダ伸張配管９０へ流れ込み、そこからポートＡを通ってタンクに戻る。
【００４６】
理解頂けようが、油圧制御システム８４は、アルミニウムのブロックを機械加工し、穿孔し、栓をして作ることができる。各種弁組立体の圧力設定に関する詳細は、例として挙げているだけであって、本発明を限定する意図は全くない。
【００４７】
ここに引用した刊行物、特許出願及び特許を含む全ての参照文献を、それぞれが、個別且つ具体的に参考文献として援用する旨表示し、その全体をここに説明したものとして、本明細書に参考文献として援用する。
【００４８】
本発明を説明する文脈中（特に請求項の文脈中）で用いた冠詞、定冠詞、及び同類の表現は、明確に表示されているか、又は文脈的に明確に否定される場合を除き、単数及び複数の両方を包含していると解釈頂きたい。ここで値の範囲を挙げているのは、特記している場合を除き、範囲内にある個々の値に個別に言及する簡略法として働くことを意図しているに過ぎず、個々の値は、ここで個別に挙げたものとして本仕様書に含まれるものとする。ここに記載する全ての方法は、明確に表示されているか、又は文脈的に明確に否定される場合を除き、適切であれば如何なる順序で実行してもよい。ここで用いた一部及び全ての例、又は例示的な表現（例えば、「の様な」）は、単に本発明を良好に説明するためのものであって、特に請求している場合を除いて、本発明の範囲に限定を課すものではない。本明細書の言語は、請求されていない要素を本発明の実施に不可欠なものとして表示しているものではないと解釈頂きたい。
【００４９】
本発明を実施するに際し本発明人が知っている最も良い方法を含む本発明の好適な実施形態を、ここに記載している。勿論、当業者には、上記説明を読めば、これら好適な実施形態に対する変更案も明白になるであろう。本発明人は、熟練技能者が、そのような変更を適宜採用することを期待しており、本発明が、ここで具体的に説明しているのと別様に実施されることも意図している。従って、本発明は、当該法律によって認められる上記請求項に記載された主題の全ての修正及び等価物を含むものである。更に、上記記載の要素の全ての可能な変更におけるそれらの組み合わせも、明確に表示されているか、又は文脈的に明確に否定される場合を除き、本発明に包含されるものとする。
【図面の簡単な説明】
【００５０】
【図１】本発明に従って構築された代表的な後部排出ボディを有する連結式公道外トラックの側面図であり、エゼクタブレードは収縮し、テールゲートは閉じている状態を示している。
【図２】図１のトラック及び後部排出ボディの後面図であり、エゼクタブレードは収縮し、テールゲートは閉じている状態を示している。
【図３】図１のトラック及び後部排出ボディの側面図であり、エゼクタブレードは伸張し、テールゲートは開いている状態を示している。
【図４】図２のトラック及び後部排出ボディの後面図であり、エゼクタブレードは伸張し、テールゲートは開いている状態を示している。
【図５】図１の後部排出ボディの斜視図であり、エゼクタブレードは収縮し、テールゲートは閉じている状態を示している。
【図６】図１の後部排出ボディの斜視図であり、エゼクタブレードは伸張し、テールゲートは開いている状態を示している。
【図７】図１の後部排出ボディの正面図である。
【図８】図１の後部排出ボディの正面斜視図であり、エゼクタブレードは伸張し、テールゲートは開いている状態を示している。
【図９】図１の後部排出ボディの拡大部分端面図であり、エゼクタ案内軌道／スライドの内の１つを示している。
【図１０】図１の後部排出ボディの拡大部分端面図であり、エゼクタ案内軌道の内の１つと、エゼクタブレードスレッドの内の１つを、エゼクタブレードを省いて示している。
【図１１】本発明の後部排出ボディ用の、別の案内軌道／スライド及びスレッド装置の拡大端面図である。
【図１２】図１の後部排出ボディの拡大部分側面斜視図であり、エゼクタブレードを収縮位置に保持するのを支援する、後部排出ボディの前方端における、案内軌道の内の１つの傾斜区画を示している。
【図１３】エゼクタブレードを収縮位置に保持するのを支援する、案内軌道の内の１つの前方端において、傾斜区画の前に案内軌道の平らな区画がある別の案内軌道を有している、本発明による後部排出ボディの拡大部分側面斜視図である。
【図１４】図１の後部排出ボディの部分斜視図であり、テールゲート作動システムを示すために一方のボディ側壁の一部を切り取って示している。
【図１５】図１の後部排出ボディのエゼクタブレード及びテールゲート作動システムの拡大斜視図であり、エゼクタブレードが一杯に収縮した位置にある状態を示している。
【図１６】図１の後部排出ボディのエゼクタブレード及びテールゲート作動システムの斜視図であり、エゼクタブレードは一杯に収縮した位置にあり、テールゲートは閉じている状態を示している。
【図１７】図１の後部排出ボディのエゼクタブレード及びテールゲート作動システムの斜視図であり、エゼクタブレードは伸張位置又は排出位置に向かって後方へ移動し始めており、テールゲートは開いた位置にある状態を示している。
【図１８】図１８−２８は、図１の後部排出ボディのエゼクタブレード及びテールゲート作動システムの拡大部分上面図であり、エゼクタブレードが一杯に収縮した位置から伸張位置まで動き、更に一杯に収縮した位置へ戻るときのテールゲート作動システムの作動順序を示している。エゼクタブレードの移動方向は、それぞれの矢印で示しており、図１８−２４では、エゼクタブレードが後部排出ボディの後方へ伸張又は移動し、図２５−２８では、エゼクタブレードは後部排出ボディの前方へ収縮又は移動する。
【図１９】図１の後部排出ボディのエゼクタブレード及びテールゲート作動システムの拡大部分上面図である。
【図２０】図１の後部排出ボディのエゼクタブレード及びテールゲート作動システムの拡大部分上面図である。
【図２１】図１の後部排出ボディのエゼクタブレード及びテールゲート作動システムの拡大部分上面図である。
【図２２】図１の後部排出ボディのエゼクタブレード及びテールゲート作動システムの拡大部分上面図である。
【図２３】図１の後部排出ボディのエゼクタブレード及びテールゲート作動システムの拡大部分上面図である。
【図２４】図１の後部排出ボディのエゼクタブレード及びテールゲート作動システムの拡大部分上面図である。
【図２５】図１の後部排出ボディのエゼクタブレード及びテールゲート作動システムの拡大部分上面図である。
【図２６】図１の後部排出ボディのエゼクタブレード及びテールゲート作動システムの拡大部分上面図である。
【図２７】図１の後部排出ボディのエゼクタブレード及びテールゲート作動システムの拡大部分上面図である。
【図２８】図１の後部排出ボディのエゼクタブレード及びテールゲート作動システムの拡大部分上面図である。
【図２９】図１の後部排出ボディの拡大部分側面図であり、テールゲートがほぼ垂直位置又は閉位置にある状態を示している。
【図３０】図１の後部排出ボディの拡大部分側面図であり、テールゲートが閉位置と開位置との間の水平方向位置にある状態を示している。
【図３１】図１の後部排出ボディの拡大部分側面図であり、テールゲートがほぼ開位置にある状態を示している。
【図３２】図３２ａ−ｃは、図１の後部排出ボディのテールゲート作動システム及びテールゲートの部分側面図であり、テールゲートが閉位置と開位置との間を移動するときのチェーン及びチェーンドラムを示している。
【図３３】別のチェーンドラム構成を有している本発明による後部排出ボディの拡大部分側面図であり、テールゲートが閉位置にある状態を示している。
【図３４】図３３の後部排出ボディの拡大部分側面図であり、テールゲートがほぼ開位置にある状態を示している。
【図３５】図１の後部排出ボディの拡大前部斜視図であり、油圧シリンダ取付装置を示している。
【図３６】図１の後部排出ボディの拡大前部斜視図であり、油圧シリンダ取付装置を示している。
【図３７】別のテールゲート回転装置を有する本発明による後部排出ボディの拡大部分側面図であり、テールゲートが閉位置にある状態を示している。
【図３８】図３７の後部排出ボディの拡大部分側面図であり、テールゲートが開位置にある状態を示している。
【図３９】一方のボディ側壁の前方端部と、テールゲート作動システムの瞬間解放ドッグの様々な取付位置を示す拡大部分斜視図である。
【図４０】油圧シリンダが伸張している状態の、図１の後部排出ボディの油圧シリンダ用の油圧制御システムの概略図である。矢印は、油圧制御システムへ出入りする作動油の流れの方向を示している。
【図４１】油圧シリンダが収縮している状態の、図３７の油圧制御システムの概略図である。矢印は、油圧制御システムへ出入りする作動油の流れの方向を示している。
【図４２】開位置と閉位置との間でテールゲートを動かすのに用いることのできる、これもテールゲートシリンダを制御する、油圧シリンダ用の別の油圧制御システムの概略図である。
【図４３】開位置と閉位置との間でテールゲートを動かすのに用いることができ、テールゲート閉鎖回路内に圧力作動逆止弁が追加されている、これもテールゲートシリンダを制御する、油圧シリンダ用の別の油圧制御システムの概略図である。
【図１】
2005518298.tif 000003
【図２】
2005518298.tif 000004
【図３】
2005518298.tif 000005
【図４】
2005518298.tif 000006
【図５】
2005518298.tif 000007
【図６】
2005518298.tif 000008
【図７】
2005518298.tif 000009
【図８】
2005518298.tif 000010
【図９】
2005518298.tif 000011
【図１０】
2005518298.tif 000012
【図１１】
2005518298.tif 000013
【図１２】
2005518298.tif 000014
【図１３】
2005518298.tif 000015
【図１４】
2005518298.tif 000016
【図１５】
2005518298.tif 000017
【図１６】
2005518298.tif 000018
【図１７】
2005518298.tif 000019
【図１８】
2005518298.tif 000020
【図１９】
2005518298.tif 000021
【図２０】
2005518298.tif 000022
【図２１】
2005518298.tif 000023
【図２２】
2005518298.tif 000024
【図２３】
2005518298.tif 000025
【図２４】
2005518298.tif 000026
【図２５】
2005518298.tif 000027
【図２６】
2005518298.tif 000028
【図２７】
2005518298.tif 000029
【図２８】
2005518298.tif 000030
【図２９】
2005518298.tif 000031
【図３０】
2005518298.tif 000032
【図３１】
2005518298.tif 000033
【図３２】
2005518298.tif 000034
【図３３】
2005518298.tif 000035
【図３４】
2005518298.tif 000036
【図３５】
2005518298.tif 000037
【図３６】
2005518298.tif 000038
【図３７】
2005518298.tif 000039
【図３８】
2005518298.tif 000040
【図３９】
2005518298.tif 000041
【図４０】
2005518298.tif 000042
【図４１】
2005518298.tif 000043
【図４２】
2005518298.tif 000044
【図４３】
2005518298.tif 000045
【国際調査報告】
2005518298.tif 000046